(57)【特許請求の範囲】
【請求項１】
パチンコ遊技機設置台ユニットの枠体の上方部分に固定される第１部材と、パチンコ遊技機の上方部分に固定されると共に、当該パチンコ遊技機の前後方向に平行移動可能とされ、前記第１部材との相対位置を任意として前記第１部材に固定されることで、パチンコ遊技機に適度な傾斜角を与えるようになっている第２部材と、を備えてなるパチンコ遊技機の取付け装置において、
前記第１部材と前記第２部材の相対的な前後位置を示す目盛と、
前記枠体と前記第１部材、前記パチンコ遊技機と前記第２部材、及び前記第１部材と前記第２部材がすべて固定された状態で、パチンコ遊技機の傾斜を前記目盛に変化を与えずに調整することができる調節手段と、
を備えてなり、
前記第２部材は、パチンコ遊技機の前後方向に平行移動可能とされ、且つ任意の位置で前記第１部材に固定される移動部材と、該移動部材と前記パチンコ遊技機との固定をなす固定部材とを含んで構成されており、前記調節手段は、前記移動部材と前記固定部材との間に設けられており、
前記移動部材の基端部は、その外周にねじ切りがされており且つ前記パチンコ遊技機の前後方向に延設されたボルト部とされており、前記調節手段は、その内周にねじ切りがなされたナット部を内孔として備える略円筒形状に形成されていると共に、その外周に、前記ナット部に到達しないようにされ、且つ円環状とされた溝部が設けられており、前記固定部材は、その先端にその間隔が前記溝部の内径よりも広く、外径よりもせまくされた２つの突出体を備えており、その突出体を前記溝部の対象位置に差し込み、且つ前記ボルト部に前記調節手段の前記ナット部を螺合させることで、回転自在として前記調節手段を支持しており、前記調節手段を回転させて、前記第２部材を前記パチンコ遊技機の前後方向に移動させることでパチンコ遊技機の傾斜を調整するようになっている、
パチンコ遊技機の取付け装置。
【請求項２】
パチンコ遊技機設置台ユニットの枠体の上方部分に固定される第１部材と、パチンコ遊技機の上方部分に固定されると共に、当該パチンコ遊技機の前後方向に平行移動可能とされ、前記第１部材との相対位置を任意として前記第１部材に固定されることで、パチンコ遊技機に適度な傾斜角を与えるようになっている第２部材と、を備えてなるパチンコ遊技機の取付け装置において、
前記第１部材と前記第２部材の相対的な前後位置を示す目盛と、
前記枠体と前記第１部材、前記パチンコ遊技機と前記第２部材、及び前記第１部材と前記第２部材がすべて固定された状態で、パチンコ遊技機の傾斜を前記目盛に変化を与えずに調整することができる調節手段であり、それを操作することでパチンコ遊技機の傾斜を前記目盛に変化を与えずに調整することができるようになっている調節部を備えるものと、
を備えてなり、
前記第１部材は、前記枠体の上方部分にその基端が固定され、その先端が前記パチンコ遊技機の前後方向における前方に向かって伸びる略水平の板状の上板を備えており、
前記第２部材は、パチンコ遊技機の前後方向に平行移動可能とされ、且つ任意の位置で前記第１部材に固定される移動部材と、該移動部材と前記パチンコ遊技機との固定をなす、前記パチンコ遊技機の上方部分にその基端が固定されその先端が前記パチンコ遊技機の前後方向における前方に向かって伸びる、前記上板と略平行な下板を含む固定部材と、を含んで構成されており、前記調節部は、前記上板より下側で前記下板より上側であり、且つ前記固定部材の前記パチンコ遊技機の前後方向における前方となる位置に設けられている、
パチンコ遊技機の取付け装置。
【発明の詳細な説明】
【０００１】
【発明の属する技術分野】
本発明は、一般に「島」と呼ばれる遊技機設置台ユニットにパチンコ遊技機を取付けるための取付け技術に関し、特にパチンコ遊技機の傾き具合を簡単に調節することを可能とする取付け技術に関する。
【０００２】
【従来の技術】
パチンコ遊技機は、一般に「島」と呼ばれる遊技機設置台ユニット、より詳しくは「島」に設けられた例えば木製の枠体に取付けた状態で用いられる。パチンコ遊技機はその重さがかなり大きいため、かかる取付けは固定的に行うのが通常である。
【０００３】
一方、パチンコ遊技機においては、出玉調整の管理が必要不可欠である。
そして、かかる管理に必要な出玉の調整はパチンコ遊技機の盤面に多数立設された釘の調節により行うのが一般的である。しかしながら、かかる釘の調節には長年の経験による熟練や勘が不可欠であり、誰でもこれを行えるといった類のものではない。
【０００４】
ところで、パチンコ遊技機における出玉の調節は上述の如き釘の調節によらずに行うことができる。即ち、釘を固定したまま、パチンコ遊技機に適度な傾斜を与えることによって、かかる調整を行うことができる。つまり、パチンコ遊技機が水平に近い角度になればなる程、球は釘によくからむようになる。そのため、パチンコ遊技機の傾斜角を小さくすれば、球の動きに釘の影響が大きく効いてくるようになる。このような性質を利用して、パチンコ遊技機を枠体に取付ける際に適度な傾斜を与えることで、釘の調節を行った場合と同様の効果を、釘の調節を行うよりも遥かに簡易に得られるようになる。また、事後的な傾斜角の調節を行えるようにすれば、その利便性は格段に向上する。
【０００５】
このような知見に基づいて、本願発明者は、兼ねてから研究を重ねている。そして、例えば、特開平１０−０８０５６３号に開示のパチンコ遊技機の取付け装置を考案している。
このパチンコ遊技機の取付け装置は、パチンコ遊技機設置台ユニットの枠体の上方部分に固定される第１部材と、パチンコ遊技機の上方部分に固定されると共に、当該パチンコ遊技機の前後方向に平行移動可能とされ、前記第１部材との相対位置を任意として前記第１部材に固定される第２部材とを備えるものであり、任意の傾斜角を与えた状態でパチンコ遊技機を枠体に固定できるようにしたものである。つまり、第２部材の第１部材に対する相対的な位置関係を変更可能として適宜の位置決めを可能とすることにより、適度な傾斜を与えた状態でパチンコ遊技機を枠体へ取付けられるようにし、これと同時に、傾斜角の事後的な変更をも可能としている。
【０００６】
このパチンコ遊技機の取付け装置は、非常に便利なものであるものの、改良すべき点がまったくないわけではない。
それは、第１部材と第２部材の相対位置を捉えるのは簡単であるが、その時点におけるパチンコ遊技機の絶対的な傾斜角を把握するのが難しいということである。つまり、第１部材をパチンコ遊技機設置台ユニットに取付けた場合の第１部材、パチンコ遊技機設置台ユニット間の位置関係と、第２部材をパチンコ遊技機に取付けた場合の第２部材、パチンコ遊技機間の位置関係が常に一定ではないので、初期状態における第１部材と第２部材の相対的な位置にもどうしてもバラツキが出る。初期状態が一定でないこのような状況下で、第１部材と第２部材の相対的位置関係をいかに検出しても、パチンコ遊技機設置台ユニットとパチンコ遊技機との相対的位置関係を一義的に決定するのは困難であり、それゆえ、第１部材と第２部材との位置関係を決定することで、パチンコ遊技機の傾斜角を正確に決定するのは極めて難しくなる。
パチンコ遊技機設置台ユニットへ第１部材を取付ける際の取付け位置のバラツキと、パチンコ遊技機へ第２部材を取付ける際の取付け位置のバラツキをなくすには、例えば、第１部材の取付け、第２部材の一方についての取付けを行い、両者の相対的位置が一定になるように正確な位置合わせを行った上で、他方の取付けを行えばよい。このようにして、両者の初期相対位置が一定になるようにすることができる。
しかしながら、このような煩雑な手順を実行するのはあまり合理的な解決策とはいえない。また、上記パチンコ遊技機の取付け装置は、パチンコ遊技機裏側の非常に狭い部分で、その取付け作業を行う必要があるものであり、位置決めについての上述の如き作業を実行すること自体が困難である。
【０００７】
【発明が解決しようとする課題】
本発明は、枠体に固定される第１部材と、パチンコ遊技機に固定され、前記第１部材との相対位置を任意として前記第１部材に固定される第２部材とを備えるパチンコ遊技機の取付け装置を、その時点におけるパチンコ遊技機の絶対的な傾斜角を把握し易いものに改良することをその課題とする。
【０００８】
【課題を解決するための手段】
かかる課題を解決するための本願発明は、以下のようなものである。
本願発明は、パチンコ遊技機設置台ユニットの枠体の上方部分に固定される第１部材と、パチンコ遊技機の上方部分に固定されると共に、当該パチンコ遊技機の前後方向に平行移動可能とされ、前記第１部材との相対位置を任意として前記第１部材に固定されることで、パチンコ遊技機に適度な傾斜角を与えるようになっている第２部材と、を備えてなるパチンコ遊技機の取付け装置を基本とする。そして、枠体と第１部材、パチンコ遊技機と第２部材、及び第１部材と第２部材がすべて固定された状態で、パチンコ遊技機の傾斜を調整することができる調節手段を備えてなることを特徴とする。
このパチンコ遊技機の取付け装置は、枠体と第１部材、パチンコ遊技機と第２部材、及び第１部材と第２部材がすべて固定された状態で、パチンコ遊技機の傾斜を調整することができる調節手段を備えている。従って、たとえ正確な位置決めを行わずにパチンコ遊技機設置台ユニットへ第１部材を取付けたり、パチンコ遊技機へ第２部材を取付けたりして、第１部材と第２部材の初期相対位置が、好ましいいちからずれていたとしても、上述の調節手段を適切に操作することにより、そのバラツキを事後的に相殺することが可能となる。
従って、このパチンコ遊技機の取付け装置を用いれば、取付け作業を行う際の煩雑さを増加させることなく、その時点におけるパチンコ遊技機の絶対的な傾斜角を把握し易くなる。
【０００９】
ここで、上述の調節手段は、枠体と第１部材、パチンコ遊技機と第２部材、及び第１部材と第２部材がすべて固定された状態で、パチンコ遊技機の傾斜を調整することができるようになっていれば、どのような構成になっていても良い。例えば、調節手段は、枠体へ固定されている第１部材の枠体に対する前後方向における相対位置を調節すること、又はパチンコ遊技機へ固定されている第２部材のパチンコ遊技機に対する前後方向における相対位置を調節すること、の少なくとも一方を行うように構成されていても良い。
第１部材は、パチンコ遊技機設置台ユニットの枠体の上方部分に固定されるものであれば良い。第２部材は、パチンコ遊技機の上方部分に固定されると共に、当該パチンコ遊技機の前後方向に平行移動可能とされ、前記第１部材との相対位置を任意として前記第１部材に固定されるものであれば良い。第１部材、第２部材は、かかる条件を満たす限り、その具体的構成を問わない。
例えば、上述の第２部材を、パチンコ遊技機の前後方向に平行移動可能とされ、且つ任意の位置で前記第１部材に固定される移動部材と、該移動部材と前記パチンコ遊技機との固定をなす固定部材とを含んで構成し、上述の調節手段を、移動部材と固定部材との間に設けるようにすることができる。
この場合の第２部材、調節部材は以下のようなものとすることができる。つまり、第２部材は、その基端部が、その外周にねじ切りがされており且つ前記パチンコ遊技機の前後方向に延設されたボルト部とされているものとすることができる。また、調節部材は、その内周にねじ切りがされたナット部を備えており且つそのナット部に前記ボルト部が螺合された状態で、回転自在として前記固定部材に支持されたものとすることができる。そして、調節部材を回転させて、第２部材を前記パチンコ遊技機の前後方向に移動させることで、初期位置の調節を行うことができる。
また、第２部材、固定部、調節部材は、以下のように構成することができる。即ち、移動部材の基端部は、その外周にねじ切りがされており且つ前記パチンコ遊技機の前後方向に延設されたボルト部とされており、調節部材は、その内周にねじ切りがなされたナット部を内孔として備える略円筒形状に形成されていると共に、その外周に、前記ナット部に到達しないようにされ、且つ円環状とされた溝部が設けられており、そして、固定部は、その先端にその間隔が前記溝部の内径よりも広く、外径よりもせまくされた２つの突出体を備えており、その突出体を前記溝部の対象位置に差し込むことで、回転自在として前記調節部材を支持しているものとされ、更に、調節部材を回転させて、第２部材をパチンコ遊技機の前後方向に移動させることでパチンコ遊技機の傾斜を調整するようなものとしてもよい。
【００１０】
【発明の実施の形態】
以下、図面を参照しながら、本発明によるパチンコ遊技機の取付け装置の好ましい一実施形態につき説明することとする。
【００１１】
本発明の一実施形態によるパチンコ遊技機の取付け装置は、遊技機設置台ユニットＵと、パチンコ遊技機Ｐの上下左右を取り囲む外周枠Ｆ（図１参照のこと。）との固定をなすものである。
より詳細に説明すると、遊技機設置台ユニットＵは、上側の枠体Ｕｓと下側の枠体Ｕｄとを備えている。他方、外周枠Ｆは、上部材Ｆｕ、下部材Ｆｄ、右部材及び下部材（共に図示せず。）を備えており、且つこれらを矩形に組むことにより構成されている。尚、パチンコ遊技機Ｐは、外周枠Ｆの内側に固定される。パチンコ遊技機の取付け装置は、このように構成された遊技機設置台ユニットＵの上側の枠体Ｕｓと、外周枠Ｆの上部材Ｆｕとを接続するものである。
【００１２】
遊技機設置台ユニットＵの上側の枠体Ｕｓと、外周枠Ｆの上部材Ｆｕとを、本実施形態による接続装置にて固定した状態を図２にて図示する。
【００１３】
取付け装置Ａは、保持ブロック２と、ラック部材３とを有し、さらに図１３〜１８に示す調節具４を有してなる。また、取付け装置Ａは、固定部材５と位置調節部材６とを含んでいる。
【００１４】
保持ブロック２は、本発明でいう第１部材の中核をなすものであり、例えば、図３〜図８（特には、図３及び図４）に示したように構成されている。
この実施形態における保持ブロック２は、例えば中実とされた金属のブロック体などを用いて形成されており、後述のラック部材３の断面形状に対応する断面形状のラック保持孔１６が貫通されており、またラック保持孔１６に対し直交し且つラック保持孔１６との交差部位で後述のラック部材３におけるラック歯程度の厚みで重なる調節孔１７が貫通されている。この調節孔１７は、後述の調節具４の挿入用として設けられたものである。この調節孔１７には、その長手方向で内周面に位置出し溝１８が設けられている。調節孔１７の開口端には、位置出し溝１８の形成位置と位置対応させてストッパ突起１９が突設されている。
【００１５】
保持ブロック２は、また、例えば、図５ないし図８に示したようなロック部２１を備えている。ロック部２１は、保持ブロック２に対して相対動可能なラック部材３を、適宜に位置決めした状態で固定するものである。
【００１６】
この取付け装置Ａのロック部２１は、係合体２２と、保持ブロック２に形成の螺合孔に係合して係合体２２を押圧する押圧ボルト２５を保持ブロック２に組み込むことで構成されている。押圧ボルト２５の先端に当接させられる係合体２２は、円形の本体部と、ラック歯に係合可能な爪部２２ｔを有している。
また、ロック部２１は、圧縮コイルばね５０１と、上側ラチェット５０２、下側ラチェット５０３、及びスライド板５０４を含んでいる。
保持ブロック２の上面には、断面が多角形とされた内孔５０５Ａを穿設された筒部５０５が設けられている。この例の内孔５０５Ａは断面８角形である。
内孔５０５Ａの下方には、内孔５０５Ａよりもやや小径の下孔５０６が設けられている。その内部には、押圧ボルト２５と螺合するようにその内面がねじ切りされた貫通孔を有する固定用ナット５０７が固定的に取付けられている。
【００１７】
上述の上側ラチェット５０２及び下側ラチェット５０３は同様の形状をしている。図６に下側ラチェット５０３の形状を示す。上側ラチェット５０２及び下側ラチェット５０３は共に、上記内孔に嵌合する形状（この例では８角形）の断面を有した板状の部材である。上側ラチェット５０２及び下側ラチェット５０３は共に８角形の面を２つ備えている。その一方の面には半径方向に伸びるラチェット歯５０２Ａ、５０３Ａが、他方の面には、断面６角形の受け穴５０２Ｂ、５０３Ｂが、それぞれ設けられている。また、上側ラチェット５０２又は下側ラチェット５０３の中心と一致する受け穴５０２Ｂ、５０５Ｂの中心には、上側ラチェット５０２又は下側ラチェット５０３を貫通する貫通孔５０２Ｃ、５０５Ｃが穿設されている。これら上側ラチェット５０２又は下側ラチェット５０３は、ラチェット歯５０２Ａ、５０３Ａ同士を対向させて噛合わせた場合、一方向にしか回転しないようになっている。
【００１８】
スライド板５０４は、例えば図７に示した如きものである。この例のスライド板５０４は、矩形の金属板を、両短辺に隣接する部分で当該短辺に平行に略９０度曲折して形成されている。スライド板５０４には、略円形の円孔５０４Ａとこの円穴５０４Ａと連なる略楕円形の小孔５０４Ｂとからなる略鍵孔状の孔が貫通的に設けられている。
【００１９】
また、このロック部２１の押圧ボルト２５は図８に示したようなものとなっている。この押圧ボルト２５は、その頭部に摘みを有しており、蝶ナット状に形成されており、その頭部の直下に断面６角形のナット２５Ａを固定的に取付けてなる。
ナット２５Ａの断面形状は、上側ラチェット５０２の受け穴５０２Ｂと嵌り合うようにされ、且つスライド板５０４の円孔５０４Ａを通り抜けるが、小孔５０４Ｂを通り抜けないようなものとなっている。
【００２０】
圧縮コイルばね５０１と、上側ラチェット５０２、下側ラチェット５０３、及びスライド板５０４は、図５の模式図に示したように組み合わされている。
上側ラチェット５０２及び下側ラチェット５０３はそれぞれ、ラチェット歯５０２Ａ、５０３Ａ同士を対向させた状態で配される。そして、下側ラチェット５０３は、筒部５０５の内孔５０５Ａ中に入れ込まれる。下側ラチェット５０３は、内孔５０５Ａに対応した大きさとされているので、内孔５０５Ａで上下に摺動できるものの、その回転は内孔５０５Ａの内面により規制される。
下側ラチェット５０３の下方には圧縮コイルばね５０１が配されている。この圧縮コイルばね５０１は、その下端を内孔５０５Ａと下孔５０６との接続部分に形成された段差により規制されており、その上端部で下側ラチェット５０３を上向きに常に付勢している。この付勢力により、両ラチェット歯５０２Ａ、５０３Ａには、噛合う方向の不勢力が常に働くこととなる。
上側ラチェット５０２の上には、スライド板５０４が載置されている。
押圧ボルト２５は、スライド板５０４の円孔５０４Ａ又は小孔５０４Ｂと、上側ラチェット５０２及び下側ラチェット５０３の貫通孔５０２Ｃ、５０５Ｃとを貫通し、固定用ナット５０７の貫通孔と螺合するようにして内孔５０５Ａから下孔５０６にかけて挿入されている。押圧ボルト２５は、その下端で、係合体２２を押圧するようになっている。
【００２１】
このロック部２１は、図５の（イ）及び（ロ）で示した如き２つの状態をとる。
図５の（イ）で示した状態では、押圧ボルト２５が、スライド板５０４の円孔５０４Ａを貫通した状態となっている。この状態における押圧ボルト２５のナット２５Ａは、スライド板５０４の円孔５０４Ａを通り抜けて、上側ラチェット５０２の受け穴５０２Ｂと嵌り合う。
この状態では、押圧ボルト２５をいずれかの方向に回転させようとすると、上側ラチェット５０２及び下側ラチェット５０３も同時に回転しようとする。ここで、下側ラチェット５０３は内孔５０５Ａ内面による規制により回転することができないようになっている。
ところで、上述のように、上側ラチェット５０２は、下側ラチェット５０３に対して一方方向にのみ回転可能とされている。従って、その方向に押圧ボルト２５を回転させた場合には、下側ラチェット５０２は、圧縮コイルばね５０１の不勢力に抗して下向きに押しやられる。つまり、下側ラチェット５０３との関係で上側ラチェット５０２の回転が許容される方向に押圧ボルト２５を回転させた場合には、押圧ボルト２５を回転させることができる。このロック部２１では、下側ラチェット５０３との関係で上側ラチェット５０３の回転が許容される当該方向が、押圧ボルト２５を締め込むときの方向と一致するようになっている。
つまり、（イ）の状態では、押圧ボルト２５を締め込む方向に回転させることができる。
一方、下側ラチェット５０３との関係で上側ラチェット５０３の回転が規制される方向に押圧ボルト２５を回転させようとしても、押圧ボルト２５は、回転しない。つまり、内孔５０５Ａ内面による規制により回転することができなくなっている下側ラチェット５０３により規制され、上側ラチェット５０２は回転できなくなっている。この上側ラチェット５０２の受け孔５０２Ｂに、そのナット２５Ａが嵌り合っている押圧ボルト２５は、上側ラチェット５０２に回転を規制されることにより回転できない。
よって、この（イ）の状態では、押圧ボルト２５は、それを締め込む方向にしか回転しないようになっている。この状態は、押圧ボルト２５の緩みを許さないため、ラック部材３を保持ブロック２に対して適宜に位置決めした状態でそのまま固定する場合に利用される。
次に、図５の（ロ）で示した状態につき説明する。この状態では、押圧ボルト２５が、スライド板５０４の小孔５０４Ｂを貫通した状態となっている。この状態における押圧ボルト２５のナット２５Ａは、スライド板５０４の干渉により、上側ラチェット５０２の受け穴５０２Ｂと嵌り合わないようになっている。
この状態における押圧ボルト２５は、上側ラチェット５０２による回転の規制を受けないため、それを締め込む方向、緩める方向のいずれの方向にも回転可能である。
この（ロ）の状態は、押圧ボルト２５の締め込み量を調節する場合や、係合体２２の押圧を解除する場合に利用される。
以上のような（イ）、（ロ）の状態をスライド板５０４の平行移動により適宜使い分けることで、ラック部材３を、保持ブロック２に対して適宜な位置で固定すすると共に、かかるロック状態の簡単な解除も実現できるようにしている。これによって、パチンコ遊技機Ｐの傾斜角の設定、事後変更が容易になる。
【００２２】
保持ブロック２は、取付け部材１と結合されている。取付け部材１は、保持ブロック２を、遊技機設置台ユニットＵの上側の枠体Ｕｓに固定的に取付けるものである。
この取付け部材１は、例えば金属板を曲折して形成する。取付け部材１は、図１、図９及び図１０にその外観を示すように、矩形の細長い本体部１Ａと、本体部１Ａの長手方向に沿った縁部を曲折して形成したリブ１Ｂと、本体部１Ａの長手方向に沿って設けられた３つのねじ孔１Ｃと、本体部１Ａの一部を鋭角な二等辺三角形状に打ち抜いて形成した係止部１Ｄと、本体部１Ａの一端を曲折することによって形成した取付け部１Ｃとを備えてなる。取付け部１Ｃは、図１０に示したごとき長孔１Ｅを備えている。
取付け部材１は、図２に示したように、遊技機設置台ユニットＵの上側の枠体Ｕｓを貫通させた３本のボルト１Ｆをねじ孔１Ｃのそれぞれに貫通させ、その状態で各ボルト１Ｆの先端にナット（図示を省略）を螺合させることによって、上側の枠体Ｕｓと固定される。取付け部材１は、長孔Ｅを貫通させたボルト（図示を省略）を、保持ブロック２に穿設された図示せぬねじ孔に螺合させることで、ブロック２に固定される。このようにして、取付け部材１は、枠体Ｕｓと、ブロック２とを固定している。
この実施形態では、保持ブロック２と、保持ブロック２を枠体Ｕｓとに取付けるための取付部材１を含む一連の構成とにより、本発明における第１部材が構成される。
【００２３】
ラック部材３は、本発明の移動部材に相当するものであり、上述の保持ブロック２に、当該パチンコ遊技機Ｐの前後方向に平行移動可能な状態で取付けられ、その前後動によってパチンコ遊技機Ｐの角度を変更した上で固定するものである。
ラック部材３は、楕円状の断面形状を与えてその上面に所定ピッチのラック歯２９を形成した先端側（図中右側）のラック部３ａと、その基端側に設けられたものであり、その外周にねじ切りがされることで、雄ねじ構造となっているボルト部３ｂとを備えている。また、ラック部材３は、ラック部３ａの先端側部位に溝状の収納室３３（図３）を備えている。この収納室３３の内部には、ストッパ爪３４が設けられている。ストッパ爪３４は、その基端部をピン３４ｐにより回動可能に支持することでその先端側が自重で下方に自由回動するようになっており、この下方回動により、その先端側がラック部材３の外周から突出するようにされている。
【００２４】
固定部材５は、ラック部材３の基端部と、外周枠Ｆの上部材Ｆｕとを固定するためのものである。正確に言えば、固定部材５は、位置調節部材６を介してラック部材３を上部材Ｆｕに間接的に固定するようなものとなっている。
【００２５】
固定部材５は、図２及び図１１、及び図１２に示されたような構成となっている。即ち、固定部材５は、上部材Ｆｕの下面と密着させられる矩形の固定面５Ａと、その一端側を曲折し、上記固定面５Ａと垂直に形成した２股の挟持部５Ｂとを備えて構成されている。この挟持部５Ｂが、本発明の突出体に相当する。固定面５Ａには、固定部材５を上部材Ｆｕに固定するためのねじ５Ｃを貫通させるためのねじ孔Ｄが、その長手方向に沿って３つ設けられている。
【００２６】
位置調節部材６は、断面六角形状に形成の先端部６Ａ及び後端部６Ｂを備えている。先端部６Ａ及び後端部６Ｂは、断面円形の中間部６Ｃにより、同軸で接続されている。中間部６Ｃの外直径は、上述の挟持部５Ｂの間隔に対応するようにされており、且つ先端部６Ａ及び後端部６Ｂの径が最小の部分よりも大径となるようにされている。そして、位置調節部材６は、挟持部５Ｂの間に中間部６Ｃを差し込むことによって、固定部材５により支持されるようになっている。中間部６Ｃは、断面円形に形成されているので、位置調節部材６は、先端部６Ａ又は後端部６Ｂを例えばスパナなどを用いて回転させることにより、その長手方向の軸を中心として回転できるようになっている。また、先端部部６Ａ、後端部６Ｂ及び中間部６Ｃの径及び挟持部５Ｂの間隔についての上述の関係により、位置調節部材６はその軸方向での移動を制限される。
位置調節部材６は、ナット部６Ｄを備えている。このナット部６Ｄは、先端部６Ａ、後端部６Ｂ及び中間部６Ｃの中心軸と同軸となっており、その内周面にねじ切りがなされている。
このナット部６Ｄは、上述のボルト部３ｂと対応するものとされており、ナット部６Ｄには、ボルト部３ｂが螺合されている。
尚、中間部６Ｃの、挟持部５Ｂとの間にできる間隙には、図示したように板ばね６Ｅを配することができる。このようにすれば、パチンコ遊技機Ｐの前後方向に大きな力がかかった場合などに、その力を板ばね６Ｅで吸収できるようになるので、取付け装置の、特にラック部材３の破損を防げるようになる。
ここで、前方の板ばね６Ｅと先端部６Ａの間、又は後方の板ばね６Ｅと後端部６Ｂの間に、Ｏリングを取付けることも可能である。Ｏリングを設けることで、中間部６Ｃを中心とするラック部材３の揺動が、よりいっそう行いやすくなるので、ラック部材３の破損の可能性を更に小さくできるようになる。
【００２７】
上述したような構成により、ボルト部３ｂのナット部６Ｄに対するねじ込み量は、位置調節部材６を回転させることによって適宜調節可能となる。ここで、位置調節部材６の固定部材５に対する相対位置と、固定部材５の上部材Ｆｕに対する相対位置とは共に固定されている。従って、この取付け装置では、位置調節部材６の適宜の回転を行うことで、ラック部材３の上部材Ｆｕに対する、ラック部材３の長さ方向における相対位置を適宜変化させられるようになる。このラック部材３の上部材Ｆｕに対する相対位置変化が、初期位置の調節を可能とする。
【００２８】
この実施形態の調節具４は、これには限られないが、例えば図１３に示すような構成となっている。この調節具４は、軸部３５と操作部３６とを備えている。軸部３５は、後述の操作部３６における回転胴３７にピン３８（図１４）で固定的に接続した軸部材３９により形成する。具体的には軸部材３９に小径部３９ｓと大径部３９ｗを設け、その大径部３９ｗの全面にピニオン歯４１を形成し、このピニオン歯形成部位が操作部３６の前面から突出して軸部３５となるようにして構成する。軸部３５には、その先端近辺に位置出し突起４２を設ける。この位置出し突起４２は、図１４に示したように、軸部３５に形成した収納孔４３の先端に球体４４を圧縮コイルばね４５による付勢により出没動可能に保持されている。
【００２９】
操作部３６は、図１４に見られるように、外周枠４６と回転胴３７とを含む。外周枠４６は、円筒状の外周筒４７の一端側に円板状の側面板４８を組み合わせた構造となっている。その外周筒４７は、その内周面に、溝状に形成したフラット部４９（図１４）を備えており、このフラット部４９を除いた部分の全面に、内周スプライン歯５１を有している（図１６）。一方、その側面板４８には、軸部材３９における小径部３９ｓを摺動可能として支持することができる大きさに形成されたガイド孔５２が設けられると共に、このガイド孔５２に近接させて取付け孔５３ａ、５３ｂが左右対にして設けられている（図１７）。そして、この両取付け孔５３ａ、５３ｂの何れかに、係止突起５４（図１３、図１４）を選択的に取付けられるようになっている。両取付け孔５３ａ、５３ｂの間隔は、保持ブロック２におけるストッパ突起１９の幅と対応するようになっている。この実施形態では、具体的に、ストッパ突起１９の幅Ｗと、両取付け孔５３ａ、５３ｂの中心間隔Ｓ、それに係止突起５４の半径ｒとの関係がＳ−２ｒ≒Ｗとなるようにしてある。
【００３０】
回転胴３７は、円柱状に形成されている。回転胴３７の外周は、外周スプライン歯５５が形成されたスプライン形成部位と、これより径が若干小さくされ、且つスプライン歯が形成されていない非スプライン形成部位に分けられている。スプライン形成部位に設けられた外周スプライン歯５５は、外周筒４７の内周スプライン歯５１と噛合するものとなっている（図１６）。一方、非スプライン形成部位にはキー突起５６が設けられている。このキー突起５６は、軸部３５における位置出し突起４２と同様に、収納孔５７の先端に配した球体５８を、圧縮コイルばね５９による付勢で出没動可能に保持させてなる。
【００３１】
これら回転胴３７と外周枠４６とは、回転胴３７の外周スプライン歯５５が外周筒４７の内周スプライン歯５１と噛合した状態で回転胴３７が前後動できるようにして組み合わされている。また回転胴３７と外周枠４６との間には、圧縮コイルばね６０が介在させられており、この圧縮コイルばね６０により回転胴３７を後退方向に付勢している。さらに図１８に示すように、外周枠４６には傾き目盛り６１が付されており、一方回転胴３７には、傾き目盛り６１から選択した目盛り値を指し示すマーク、例えば矢印マーク６２が付されている。これには限られないが、この実施形態における傾き目盛り６１は、パチンコ遊技機の傾き角度としてパチンコ業界で慣用的に用いられている尺貫法に従った目盛りとなっている。
【００３２】
このパチンコ遊技機の取付け装置は、例えば以下のようにして使用される。
パチンコ遊技機の取付け装置を使用するにあたっては、まず、保持ブロック２を、遊技機設置台ユニットＵの上側の枠体Ｕｓに取付け部材１を介して固定し、また保持ブロック２のラック保持孔１６にラック部材３を挿入してラック部材３を支持させる。このとき固定部材５と保持ブロック２との位置関係は、図３に示したように、ストッパ爪３４の下端が保持ブロック２と当接するようにし、ラック部材３がパチンコ遊技機Ｐ側に移動しないようにする。
次いで、位置調節部材６のナット部６Ｄへ、ラック部材３のボルト部３ｂを螺合させる。
次いで、板ばね６Ｅの間に挟持部５Ｂを差し込むみ、その状態で固定部材５を上部材Ｆｕに固定する。
【００３３】
以上のような固定を行った後、位置調節部材６をスパナなどを用いて適宜回転させる。これにより、位置調節部材６のナット部６Ｄに対して、ラック部材３のボルト部３ｂが螺合しているその長さが変化し、ラック部材３が前後動を行う（図２中前後方向に移動する。）。
ここで、位置調節部材６の回転によるラック部材３の位置調整は、以下のように行う。
この実施形態では、その傾き目盛り６１は、パチンコ業界で標準的な傾きとされている４分５厘（パチンコ遊技機の上側が下側よりも後ろ側つまり島の内側に１３．５ｍｍ引っ込んでいる後ろ傾斜）を矢印マーク６２が指している状態で、図１７に見られるように、軸部３５の位置出し突起４２が両取付け孔５３ａ、５３ｂの中間点に来るようにして付されている。
この状態で位置調節部材６を回転させ、その結果、パチンコ遊技機Ｐの傾きが４分５厘になるようにする。このようにすることで、保持ブロック２とラック部材３との初期相対位置が、適宜な位置に定められる。
【００３４】
このようにして取付け装置Ａを取付け、初期相対位置の調節を行った状態でパチンコ遊技機Ｐの傾きを調節するには、調節具４を用いる。
具体的には、先ず調節具４のセットを行う。つまり、操作部３６について、外周枠４６に対する回転胴３７の回転関係を意図する傾きに対応した関係にする調整を行う。それには圧縮コイルばね６０の付勢に抗して回転胴３７を図１５に示すような状態に押し込む。この状態では回転胴３７の外周スプライン歯形成部位がフラット部４９に位置対応しており、したがって内周スプライン歯５１に対する外周スプライン歯５５の噛合が解除しており、回転胴３７を自由に回転させることができる。この状態を利用して回転胴３７を必要な角度だけ回転させる。この回転の際にはキー突起５６が内周スプライン歯５１に係脱を繰り返し、これにより回転胴３７の回転操作をスプライン歯ピッチで行うことができる。必要な角度の設定は、回転胴３７の矢印マーク６２を外周枠４６の傾き目盛り６１に合わせることで行う。例えば標準傾き設定の４分５厘から傾きを小さくして３分５厘にする場合であれば、矢印マークを３分５厘の目的目盛り値に合わせる（図１０中に二点鎖線で示す）。またこの場合には調節具４を図１７中の矢印の如く回転させることになるので、図１７の状態で見て右側の取付け孔５３ａに係止突起５４を取付ける。なおもし４分５厘から傾きを大きくする場合であれば調節具４の回転向きが逆となるので左側の取付け孔５３ｂに係止突起５４を取付ける。
【００３５】
以上の調整を終えたら調節具４の軸部３５を保持ブロック２の調節孔１７に、ストッパ突起１９が操作部３６に当接するか又は係止突起５４が保持ブロック２に当接する状態まで挿入する。この挿入は軸部３５の位置出し突起４２が調節孔１７の位置出し溝１８に沿う、つまり位置出し突起４２が位置出し溝１８に嵌るようにして行う。それからラック部材３のストッパ爪３４を引っ込ませてラック部材３の前進を可能とする操作を行う。すなわちストッパ爪３４は、傾きが４分５厘より大きい状態では自重により突出しており、そして傾きが４分５厘の状態でその先端を保持ブロック２に当接させ、これによりラック部材３の前進を仮に規制しているので、この状態を解除する操作を行う。このようにしてラック部材３の前進を可能としたら、調節具４をその係止突起５４が保持ブロック２のストッパ突起１９に当接するまで回転させる。するとこの回転に応じた分だけラック部材３が前進するので、その位置でロック部２１により締め付けてラック部材３を固定する。この結果、パチンコ遊技機Ｐには３分５厘の傾きが設定される。
【００３６】
【発明の効果】
以上説明したように本発明のパチンコ遊技機の取付け装置によれば、パチンコ遊技機の傾斜角の正確な設定が、非常に簡単に行えるようになる。
【図面の簡単な説明】
【図１】パチンコ遊技機を取付ける島及び枠体の構造を概略的に示す図。
【図２】一実施形態による取付け装置で、パチンコ遊技機を島に取付けた状態を示す、側面図。
【図３】図２の取付け装置における保持ブロック、ラック部材及び支持部材の関係を示す斜視図。
【図４】図２の取付け装置における保持ブロックの構造を示す斜視図。
【図５】図４で示した取付け装置のロック部の動作を模式的に表現した側断面図。
【図６】図５で示した取付け装置の上側ラチェット及び下側ラチェットの構造を説明するための一部破断図を含む斜視図。
【図７】図５で示した取付け装置のスライド板の構造を説明するための斜視図。
【図８】図５で示した取付け装置の押圧ボルトの構造を説明するための斜視図。
【図９】図２で示した取付け部材の構造を説明するための平面図。
【図１０】図２で示した取付け部材の構造を説明するための正面図。
【図１１】図２で示した固定部材の構造を説明するための底面図。
【図１２】図２で示した位置調節部材と固定部材の関係を説明するための斜視図。
【図１３】図２の取付け装置における調節具の斜視図。
【図１４】図１３中のＳＡ−ＳＡ線に沿う断面図。
【図１５】回転胴を押し込んだ状態の図１４相当の断面図。
【図１６】図１５中のＳＢ−ＳＢ線に沿う断面図。
【図１７】図１５中の矢印ＤＡ方向から見た側面図。
【図１８】図１５中の矢印ＤＢ方向から見た側面図。
【符号の説明】
１  取付け部材
２  保持ブロック
３  ラック部材
４  調節具
５  固定部材
６  位置調節部材
１７  調節孔
１８  位置出し溝
１９  ストッパ突起
２１  ロック部
２９  ラック歯
３３  収納室
３４  ストッパ爪
３５  軸部
３６  操作部
３７  回転胴
４１  ピニオン歯
４２  位置出し突起
４６  外周枠  ４９  フラット部
５１  内周スプライン歯
５３ａ  係合孔
５３ｂ  係合孔
５４  係止突起
５５  外周スプライン歯
５６  キー突起
６０  付勢手段
Ｆｕ  外周枠
Ｐ  パチンコ遊技機
Ｕ  遊技機設置台ユニット
Ｕｓ  枠体
【図１】
0004693229.tif 000002
【図２】
0004693229.tif 000003
【図３】
0004693229.tif 000004
【図４】
0004693229.tif 000005
【図５】
0004693229.tif 000006
【図６】
0004693229.tif 000007
【図７】
0004693229.tif 000008
【図８】
0004693229.tif 000009
【図９】
0004693229.tif 000010
【図１０】
0004693229.tif 000011
【図１１】
0004693229.tif 000012
【図１２】
0004693229.tif 000013
【図１３】
0004693229.tif 000014
【図１４】
0004693229.tif 000015
【図１５】
0004693229.tif 000016
【図１６】
0004693229.tif 000017
【図１７】
0004693229.tif 000018
【図１８】
0004693229.tif 000019